(57)【特許請求の範囲】
【請求項１】
補聴器システムのレシーバ・タイプを特定し，
特定されるレシーバ・タイプに基づいて閾値周波数を提供し，
複数周波数の範囲について上記補聴器システムのレシーバの電気インピーダンスを測定し，これによって測定レシーバ・インピーダンス・スペクトルを提供し，
上記測定レシーバ・インピーダンス・スペクトルからピーク周波数およびバレー周波数の少なくとも一つを決定し，
上記決定されたピーク周波数またはバレー周波数が上記閾値周波数を超えていることに応答してアクションをトリガし，
補聴器の音出力が少なくとも部分的に詰まっているときに上記アクションがトリガされるように上記閾値周波数が選択される，
補聴器システムの動作方法。
【請求項２】
上記補聴器システムのレシーバ・タイプを特定するステップが，聴覚ケア専門家によってマニュアルで実行される，または測定レシーバ・インピーダンス・スペクトルからの少なくとも一つの特性とこれに対応するレシーバ・タイプの範囲の値との比較に基づいて補聴器システムによって自動的に実行される，
請求項１に記載の方法。
【請求項３】
測定レシーバ・インピーダンス・スペクトルを提供するステップが，上記補聴器システムの上記特定されるレシーバ・タイプに基づいて測定抵抗の範囲を選択するステップを含む，請求項１または２に記載の方法。
【請求項４】
上記トリガされるアクションが，視覚または音響警告を発生すること，閾値超過に関するデータを補聴器システムにログすること，および閾値超過に関するデータを外部サーバに提供すること，からなるグループから選択される，請求項１から３のいずれか一項に記載の方法。
【請求項５】
音響警告が，会話検出器が音声環境中に会話が存在しないことを判断するときにだけ発生される，請求項１から４のいずれか一項に記載の方法。
【請求項６】
複数周波数の範囲について上記補聴器システムのレシーバの電気インピーダンスを測定するステップが，補聴器システムの電源オンに応答して，補聴器設定の変更をユーザが始めたことに応答して，または補聴器システムのユーザ・インターフェースを用いてユーザがリクエストすることに応答して，実行される，請求項１から５のいずれか一項に記載の方法。
【請求項７】
複数周波数の範囲について上記補聴器システムのレシーバの電気インピーダンスを測定するステップが，
上記電気インピーダンスを測定するために用いられる測定信号の強度を，少なくとも一の周波数範囲において，上記補聴器システムのユーザの聴覚損失に依存して，上記測定信号が補聴器システムのユーザに聞こえないように適合するステップを含む，
請求項１から６のいずれか一項に記載の方法。
【請求項８】
複数周波数の範囲について上記補聴器システムのレシーバの電気インピーダンスを測定するステップが，
上記電気インピーダンスを測定するために用いられる測定信号の強度を，少なくとも一の周波数範囲において，上記補聴器システムのユーザの聴覚損失に依存して，上記測定信号が補聴器システムのユーザに聞こえないようにしつつ信号対雑音比が改善するように増加するステップを含む，請求項７に記載の方法。
【請求項９】
測定レシーバ・インピーダンス・スペクトルを提供するステップが，上記補聴器システムの補聴器のＨブリッジ出力段を駆動する電圧であって，通常動作モードにおいて用いられる電圧よりも少なくとも３０ｄＢ低い電圧を提供する電圧源を用いて実行される，請求項１から８のいずれか一項に記載の方法。
【請求項１０】
閾値を保持するメモリ，
測定信号を提供するように構成される信号発生器，
上記測定信号に基づいて測定されるレシーバ・インピーダンス・スペクトルを提供するように構成される測定回路，
上記閾値を超える上記レシーバ・インピーダンス・スペクトルの共振周波数に応じてアクションをトリガするように構成されるトリガ，
を備えている，補聴器システム。
【請求項１１】
上記測定回路が，レシーバに直列接続されるべき複数の測定抵抗の一つを選択可能に構成されている，請求項１０に記載の補聴器システム。
【請求項１２】
４つの分岐を有するＨブリッジ出力段を備え，各分岐が，
直列に接続される２つのスイッチと，２つのスイッチの間に位置しかつ補聴器レシーバの端子に直接にまたは抵抗を通して接続される分岐点と，を有しており，
第１および第２の分岐の分岐点が，上記補聴器レシーバの第１および第２の端子にそれぞれ直接に接続され，
第３の分岐の分岐点が第１の測定抵抗を通じて上記第１の分岐の分岐点に接続され，
第４の分岐の分岐点が第２の測定抵抗を通じて上記第２の分岐の分岐点に接続される，
請求項１１に記載の補聴器システム。
【請求項１３】
上記Ｈブリッジ出力段が，
上記第１および第２の分岐を通じて第１の電圧源を上記補聴器レシーバに接続し，
上記第３および第４の分岐を通じて第２の電圧源を上記補聴器レシーバに接続するものであり，上記第２の電圧源によって供給される電圧が上記第１の電圧源によって供給される電圧よりも少なくとも３０ｄＢ低い，
請求項１２に記載の補聴器システム。
【請求項１４】
上記Ｈブリッジ出力段が通常動作モードまたは測定モードのいずれかにおいて動作するように構成されており，通常動作モードにおいて上記Ｈブリッジ出力段が動作する間，上記第１の電圧源が上記補聴器レシーバに電流を提供し，かつ測定モードにおいて上記Ｈブリッジ出力段が動作する間，上記第２の電圧源が上記補聴器レシーバに電流を提供する，請求項１３に記載の補聴器。
【発明の詳細な説明】
【技術分野】
【０００１】
この発明は補聴器システムの動作方法に関する。より詳細にはこの発明は，補聴器の音出力の詰まり（congestion of a hearing aid sound output）を検出する方法に関する。この発明はまた，上記方法を実行するように構成される補聴器システムに関する。
【背景技術】
【０００２】
この発明による補聴器システムは，概略的には，ユーザによって音響信号として知覚されることが可能な出力信号を提供する，またはそのような出力信号の提供に寄与する任意のシステムを意味するものとして理解され，上記ユーザの個々の聴覚損失を補償するように，または上記聴覚損失の補償に寄与するように構成される手段を備えている。このシステムには，身体または頭部，特に耳の上または耳の中に装着することができ，かつ完全にまたは部分的に埋め込むことができる補聴器が含まれる。しかしながら，主要目的が聴覚損失を補償することではない装置，たとえば消費者向電化製品（テレビ，ハイファイ・システム，携帯電話，ＭＰ３プレーヤなど）も，これらが個々の聴覚損失を補償する機能を有するものであれば，補聴器システムとして考えることができる。
【０００３】
使用に先立ち，補聴器は処方にしたがって補聴器フィッタによって調整される。上記処方は，いわゆるオージオグラムが得られる，聴覚障がい者の裸耳聴能の聴覚テストに基づく。上記処方は，上記ユーザが聴覚欠損を蒙っている可聴周波数範囲の部分の周波数の音を増幅することによって，上記補聴器が聴覚損失を緩和する設定に達するように構築される。
【０００４】
従来の補聴器フィッティングでは，補聴器ユーザが補聴器フィッタのオフィスを訪問し，ユーザの補聴器が，補聴器フィッタが自己のオフィスに有するフィッティング設備を用いて調整される。典型的には上記フィッティング設備は，関連する補聴器プログラミング・ソフトウエアを実行可能なコンピュータ，および上記コンピュータと上記補聴器との間にリンクを提供するように構成されるプログラミング装置を含む。
【０００５】
本願の開示において，補聴器は，難聴者によって人の耳の後ろにまたは耳の中に装着されるように設計された，小さい，電池駆動の，小型電子機器として理解することができる。補聴器は，一または複数のマイクロフォン，電池，信号処理装置を含む小型電子回路，増幅器，および音響出力トランスデューサを備えている。上記信号処理装置は好ましくはデジタル信号処理装置である。上記補聴器は人の耳の後ろまたは耳の中へのフィットに適するケース内に収められる。
【０００６】
補聴器の機械的デザインは複数の概略的なカテゴリに発展している。その名が示すように耳掛形（Behind-The-Ear）（ＢＴＥ）補聴器は耳の後ろに装着される。より正確には，その主要電子回路部品を含むハウジングを備える電子回路ユニットが耳の後ろに装着される。音を補聴器ユーザに向けて放出するイヤーピースが，耳の中に，たとえば耳甲介または外耳道内に装着される。従来のＢＴＥ補聴器では，補聴器用語において通常レシーバと呼ばれる上記電子回路ユニットのハウジンング内に配置される出力トランスデューサからの音を外耳道に向けて伝達するために音チューブが用いられる。近年の補聴器タイプの中には，導電材を備える導電部材が上記ハウジングから耳内のイヤーピース中に配置されたレシーバに向けて電気信号を搬送するものがある。このような補聴器は通常耳内レシーバ形（Receiver-In-The-Ear）（ＲＩＴＥ）補聴器と呼ばれている。特定タイプのＲＩＴＥ補聴器では上記レシーバが外耳道の内側に配置される。このカテゴリは耳道内レシーバ形（Receiver-In-Canal）（ＲＩＣ）補聴器と呼ばれることがある。
【０００７】
耳内形（In-The-Ear）（ＩＴＥ）補聴器は，耳内，通常は外耳道の漏斗状外側部分に配置されるようにデザインされている。特定タイプのＩＴＥ補聴器では，上記補聴器が実質的に外耳道の内側に配置される。このカテゴリは完全耳内形（Completely-In-Canal）（ＣＩＣ）補聴器と呼ばれることがある。このタイプの補聴器は，耳道内に配置することができ，同時に補聴器の動作に必要な部品を収容できるようにするために，特にコンパクトなデザインでなければならない。
【０００８】
本願の開示において，補聴器システムは単一の補聴器（いわゆるモノラル補聴器システム）を含むことができ，または補聴器ユーザの各耳に一つずつの２つの補聴器を含むことができる（いわゆるバイノーラル補聴器システム）。さらに補聴器システムは，外部機器，たとえば補聴器システムの他の機器と相互作用するように構成されるソフトウエア・アプリケーションを有するスマートフォンを含んでもよい。このように本願の開示において，用語「補聴器システム装置」は補聴器または外部機器を示すものとされる。
【０００９】
現在のデジタル補聴器はデジタル信号処理装置を含み，上記処方にしたがってマイクロフォンからのオーディオ信号を処理に上記音響出力トランスデューサを駆動するのに適する電気信号にする。スペースを節約しかつ効率を向上するために，デジタル補聴器処理装置の中には，上記出力信号のデジタル−アナログ変換を実行することなく上記音響出力トランスデューサを直接に駆動するデジタル出力信号を提供するものがある。上記デジタル信号が十分に高い周波数を持つデジタル・ビット・ストリームとして直接に上記音響出力トランスデューサに搬送されると，上記音響出力トランスデューサのコイルがローパス・フィルタとしての役目を果たし，たとえば１５〜２０ｋＨｚ未満の周波数のみを上記音響出力トランスデューサによって再生させることができる。上記デジタル出力信号は，好ましくはパルス幅変調信号，シグマ−デルタ変調信号またはこれらの組み合わせである。
【００１０】
Ｈブリッジは電気モータまたはスピーカといった誘導負荷を制御する電気回路である。これは，Ｈブリッジに含まれる電子スイッチのセットを開放しかつ短絡することでＨブリッジの出力端子間に接続された負荷を通じた電流の流れの方向を制御することによって，動作する。上記スイッチは，好ましくは，バイポーラ接合トランジスタ（Bipolar Junction Transistors）（ＢＪＴ）または金属酸化膜半導体電界効果トランジスタ（Metal Oxide Semiconductor Field Effect Transistors）（ＭＯＳＦＥＴ）といった半導体スイッチング素子として具現化することができる。この動作原理は直接デジタル駆動出力段の使用を可能とし，適切に調整されたデジタル信号がスピーカを直接に駆動することを可能とし，これによって専用のデジタル−アナログ変換器の必要性を排除し，かつ同時に出力段における所要電力を低減する。
【００１１】
この発明は，特に，補聴器ユーザの外耳道内に配置されるようにつくられる，耳垢ガードが設けられる少なくとも一の音出力開口（sound output opening）または音出力口（sound outlet）を有する外耳道部を備える補聴器システムに関するものである。従来のＢＴＥ補聴器において，上記音出力開口は音チューブを用いてレシーバに接続されている。ＲＩＴＥ，ＲＩＣ，ＩＴＥおよびＣＩＣ補聴器については，短いチューブ（short tubing）（音ボア（sound bore）とも呼ばれる）がレシーバから音出力開口への音の搬送に通常は用いられる。
【００１２】
外耳道の内部において音出力開口は耳くそまたは耳垢（cerumen or ear wax）によって汚染され，上記音出力が詰まることで音再生が低下することがよく知られる課題である。最悪の場合，耳垢が上記外耳道部に入って上記補聴器レシーバといった補聴器の電気部品に損傷を与える危険性がある。いずれにしても，補聴器システムが提供する音のレベルの低下は，上記補聴器システムがユーザによって装着されないという結果や補聴器システムを試用するユーザが補聴器システムを購入しないことを選択する結果をもたらすことがある。
【００１３】
なお，上記音出力の詰まりは，耳垢に起因するとは限らず，上記レシーバと上記音出力開口の間の音導管における結露の結果であることもある。
【００１４】
人の外耳道からの耳垢がこの音出力開口を通じて侵入するのを避けるために，通常は耳垢ガードが用いられている。このような耳垢ガードは欧州特許第１０９７６０６号から知られている。耳垢ガードは交換可能なもので，定期的に交換して音出力口が耳垢によってブロックされないようにする必要がある。耳垢ガードを交換するタイミングはユーザごとに様々であり，これは生成される耳垢の量および特性が人それぞれで大きく異なるからである。
【００１５】
しかしながら，上記音出力口は典型的には約１ｍｍの直径であり，非常に小さい寸法のため，上記耳垢ガードの挿入および取り外しは特に視力が弱った高齢の補聴器ユーザにとってやや難しい作業である。このため，耳垢ガードが頻繁には交換されないことがよくあり，耳垢が外耳道部に入る危険性が高まり，このために特に補聴器レシーバに損傷を与えるリスクが増加し，または補聴器システムが大幅に低減されたレベルで音を提供するリスクが増加する。
【００１６】
欧州特許２０３９２１６号は，ユーザの耳にもしくは耳の中にまたは外耳道の中に装着される電気音響出力トランスデューサを備える聴覚装置をモニタリングする方法を開示しており，上記出力トランスデューサの電気的インピーダンスが計測されかつ解析され，これによって出力トランスデューサの，および／または上記出力トランスデューサと協働する音響システム，たとえばＢＴＥ補聴装置のチューブのステータスを簡単かつ効率的に推定することができる。これによって，上記出力トランスデューサまたは出力トランスデューサと協働する音響システムが耳垢によってブロックされたとき，または上記出力トランスデューサが損傷したときを自動的かつ迅速に認識することができる。
【００１７】
欧州特許２０３９２１６号はより詳細な方法を開示しており，はじめにレシーバの共振周波数における基準レシーバ・インピーダンスが測定され，その後に上記共振周波数の上記レシーバ・インピーダンスの追加測定と上記基準レシーバ・インピーダンスの比較に基づいて垢詰まりが推定される。
【００１８】
この方法は，上記追加的に測定されるレシーバ・インピーダンスと上記基準レシーバ・インピーダンスとの差に加えて，上記レシーバ・インピーダンスの変化も上記レシーバ・インピーダンスを計測するために用いられる信号（以下，測定信号ともいう）の振幅に依存し，かつレシーバ・インピーダンス測定回路に与えられる測定抵抗の大きさに依存することを特徴とする。
【００１９】
しかしながら，上記測定信号の振幅は一般に時間および特定の環境条件とともに変動し，これは，上記測定信号の供給源が補聴器の電池であることが多く，一般に時間の経過にわたって一定の電圧出力をもたらすものとしては信頼性に欠けるからである。欧州特許２０３９２１６号に開示の方法には，電池電圧に生じうる変動をいかにして補償するかが記載されていない。
【００２０】
欧州特許２０３９２１６号に開示の方法はさらに，測定レジスタを１つだけ使用するだけでは，上記レシーバ・インピーダンスの変化を表す測定電圧の感度を，広範囲の様々な補聴器レシーバ・インピーダンスに対して最適化することができないというデメリットがあり，これは，ほとんどの近年の補聴器が，大きく変動する基準インピーダンスを有するいくつかの異なるタイプのレシーバに適合可能であるために不利となる。典型的には，上記レシーバ・タイプは個々人の聴力損失の重症度および個々人の外耳道のサイズに基づいて選択される。
【００２１】
この発明は，たとえば耳垢や水によって生じうる補聴器の機械的詰まりの検出を改善する補聴器システムの動作方法を提供することを特徴とする。
【００２２】
この発明はまた，上述の改善された方法を実行するように構成される補聴器システムを提供することを特徴とする。
【発明の開示】
【００２３】
第１の観点において，この発明は請求項１に記載の補聴器システムの動作方法を提供する。
【００２４】
生じうる補聴器の機械的な詰まりの検出のための改善された方法が提供される。
【００２５】
第２の観点において，この発明は請求項１５に記載の補聴器システムを提供する。
【００２６】
生じうる補聴器の機械的な詰まりの検出のための上述した改善された方法を実行するように構成される，改善された補聴器システムが提供される。
【００２７】
さらなる有利な特徴が従属請求項から明らかにされる。
【００２８】
この発明のさらに他の特徴は，この発明の実施態様を詳細に説明する以下の記載から当業者に明らかにされよう。
【図面の簡単な説明】
【００２９】
【図１】この発明の一実施態様によるレシーバ・インピーダンスを測定する方法を実行するように構成される補聴器における基本測定回路を示す。
【図２】この発明の一実施態様による方法を実行するように構成される補聴器をかなり模式的に示す。
【図３】所定の補聴器およびレシーバ・タイプについての詰まりレベルの関数としての，測定されたピーク周波数および測定されたバレー周波数の一例を示している。
【図４ａ】この発明の一実施態様による，補聴器のＨブリッジ出力段およびその動作モードをかなり模式的に示している。
【図４ｂ】この発明の一実施態様による，補聴器のＨブリッジ出力段およびその動作モードをかなり模式的に示している。
【図４ｃ】この発明の一実施態様による，補聴器のＨブリッジ出力段およびその動作モードをかなり模式的に示している。
【図４ｄ】この発明の一実施態様による，補聴器のＨブリッジ出力段およびその動作モードをかなり模式的に示している。
【図５】この発明の一実施態様による，補聴器のＨブリッジ出力段をかなり模式的に示している。
【実施例】
【００３０】
一例として，この発明の好ましい実施態様を示しかつ記載する。当然ではあるが，この発明は他の実施態様が可能であり，そのいくつかの詳細は，この発明から逸脱することなく，様々な明らかなすべての観点において修正することができる。したがって，図面および説明は本質的に例示にすぎず，限定するものではない。
【００３１】
本願の開示において，補聴器電気音響出力トランスデューサを，補聴器レシーバまたは単にレシーバとも呼ぶ。
【００３２】
発明者は，たとえば耳垢や水によって生じうる補聴器の機械的な詰まりの検出を改善する補聴器の動作方法（a method of operating a hearing aid）を見出した。上記方法はより正確かつロバストな結果をもたらし，同時に必要とされる処理の複雑さや電力を軽減するものである。これは基準レシーバ共振周波数に対するレシーバ共振周波数における変化を考慮することによって行われ，たとえば，従来技術において開示されているような，基準レシーバ共振周波数において測定されるレシーバ・インピーダンスの大きさの変化を考慮するものは対照的である。
【００３３】
はじめに図１を参照して，図１は，この発明の一実施態様による，レシーバ・インピーダンスを測定する方法を実行するように構成される補聴器における基本測定回路100をかなり模式的に示している。上記基本回路100は，信号発生器101，測定抵抗102，測定点104およびレシーバ105を含む。
【００３４】
上記基本回路100は，上記測定点104における電圧を測定しながら，上記信号発生器101を用いて線形正弦波掃引（linear sine sweep）を行うことによって，レシーバ・インピーダンスの測定を，周波数の関数として（すなわちインピーダンス・スペクトル曲線として）提供することができる。これにより，上記補聴器システム中に記憶される基準インピーダンス・スペクトルに対して上記測定インピーダンス・スペクトル曲線を比較することによって，上記レシーバ共振周波数の変化を取得することができる。典型的には上記基準インピーダンス・スペクトルの測定が実行され，そこから抽出された特性が，次に補聴器専門家によって最終補聴器フィッティングの一部として上記補聴器システムに保存され，その後にユーザに上記補聴器システムが引き渡される。
【００３５】
この発明の特定の利点は，自由空間で（in free space）上記基準測定を実行できることであり，それは聴覚ケア専門家が上記基準測定中に何も音出力開口を妨げていないことを容易に確認することができるからである。上記レシーバのインピーダンスは上記補聴器の音響導管内の空気圧抵抗によって大きく影響を受けるので，上記基準測定を自由空間で実行することができる。
【００３６】
この実施態様の変形例では，上記線形正弦波掃引テスト信号を，白色雑音，特定の周波数における単一/多重正弦波，または指数正弦波掃引によって置き換えることができる。 その単純なハードウェア実装のために線形正弦波掃引が特に有利である。
【００３７】
次に図２を参照して，図２はこの発明の一実施態様による補聴器の動作方法を実行するように構成される補聴器200をかなり模式的に示している。上記補聴器200は，一セットの音響−電気入力トランスデューサ201（すなわちマイクロフォン（複数）），入力スイッチング回路202，補聴器フロントエンド・プロセッサ203および補聴器バックエンド・プロセッサ204を備えている。以下において，補聴器フロントエンド・プロセッサおよび補聴器バックエンド・プロセッサを，フロントエンド・プロセッサおよびバックエンド・プロセッサ，または簡単にバックエンドおよびフロントエンドと言うこともある。基本的には，上記フロントエンドは入力信号のアナログ−デジタル変換を取扱い，他方バックエンドは残りのすべての補聴器処理，特にユーザの聴覚欠損を緩和する処理を実行する。
【００３８】
上記補聴器200は，通常動作モードとレシーバ測定モードとの間で切り換え可能に構成されている。
【００３９】
上記レシーバ測定モードが選択されているとき，上記補聴器バックエンド・プロセッサ204が測定を開始する。これは，上記信号発生器101および上記入力スイッチング回路202ならびに信号検出器（分かりやすくするため図示略）を制御するステップを含む。はじめに上記信号発生器101が測定信号を出力トランスデューサ105に与える。上記第１の測定点104における電圧が，上記バックエンド204によって制御される上記入力スイッチング回路202の相互作用を通して，マイクロフォン201のセットからの信号に代えて，上記第１の測定点104からの信号を上記フロントエンドおよび上記フロントエンド中に設けられるアナログ−デジタル変換器（ＡＤＣ）（分かりやすくするため図示略）に入力することができる上記制御信号206を通じて，測定信号205として上記フロントエンド203に与えられる。この実施態様の特定の利点は，上記補聴器を２つの異なる動作モード間で切り換えることができるにもかかわらず，単一のＡＤＣだけを必要とすることである。しかしながら，当業者であれば，入力信号のスイッチングを上記ＡＤＣの後段に実装することができることも明らかである。この場合には入力信号ごとに一つのＡＤＣと，これに続くデジタル領域における信号間の切り替えとが必要になる。
【００４０】
さらなる利点は，上記両方の動作モードにおいて上記ＡＤＣがデジタル信号を出力し，そこで上記ＡＤＣへの上記入力信号のＤＣ部分が除去されることであり，これによってたとえば不安定な電圧供給のためにまたは経年劣化またはその他測定抵抗のドリフティングに起因して上記テスト信号の振幅が変化しているかどうかと無関係に，同じデジタル信号処理を適用することができるからである。この実施態様では，上記フロントエンド203への入力信号のＤＣ部分が，上記フロントエンド203中に含まれるＡＤＣの上流のハイパス・フィルタを用いて除去される。
【００４１】
上記測定原理は，正弦波掃引ｓ（ｔ）＝ｓｉｎ（２πｆｔ）が第１の時刻ｔ１で周波数ｆ１においてスタートし，第２の時刻点ｔＮで周波数ｆＮに達するまで経時的に直線的に増加する（increases linearly in time）ことを考慮することによっておそらく最もよく理解される。上述のように，上記正弦波掃引が上記補聴器の出力における上記測定点104に提供され，その結果の信号205が補聴器フロントエンド・プロセッサ203に戻され，そこでアナログ信号がデジタル領域に変換され，さらなる処理のためにバックエンド・プロセッサ204に提供される。以下においてｙ（ｔ）で示す上記結果信号205は，正弦波掃引ｓ（ｔ）と結合されるレシーバおよび直列のインピーダンスの伝達関数ｈ（ｔ）との畳み込み（convolution）として表すことができる。
【００４２】
ｙ（ｔ）＝ｈ（ｔ）＊ｓ（ｔ）
【００４３】
周波数領域では次のようになる。
【００４４】
Ｙ（ｆ）＝Ｈ（ｆ）Ｓ（ｆ）
【００４５】
時刻ｔ１においてｓ（ｔ）は周波数ｆｉを持つ正弦波であり，上記系（システム）が線形であって，インピーダンスの位相を無視することができるとする（すなわち，インピーダンスが純粋な抵抗であると考える）と，入力側の信号は周波数ｆｉのみを含むことになる。この周波数における上記結果信号はしたがって次のように表現することができる。
【００４６】
Ｙ（ｆｉ）＝Ｈ（ｆｉ）Ｓ（ｆｉ）＝Ｈ（ｆｉ）ｅｘｐ（−ｊωｉ）
【００４７】
時刻ｔｉにおいてωｉは時刻ｔｉでの正弦波の位相である。上記結果信号の振幅は次のようになる。
【００４８】
｜Ｙ（ｆｉ）｜＝｜Ｈ（ｆｉ）ｅｘｐ（−ｊωｉ）｜＝｜Ｈ（ｆｉ）｜
【００４９】
これは，上記レシーバ・インピーダンスのスペクトルを，上記結果信号の振幅スペクトルとして直接に測定することができることを意味する。上記結果信号は接続205を通じて上記フロントエンド・プロセッサ203に与えられる。絶対平均推定器（abs-average estimator），ヒルベルト変換の絶対値（the absolute value of a Hilbert Transform），またはフーリエ変換の絶対値の使用を含む多種多様の方法を用いて上記振幅は推定することができる。上記方法を信号の位相に対して鈍感にする（insensitive）ために，上記振幅推定は正弦波掃引のいくつかの期間にわたって（over a number of periods of the sine sweep）算出される。
【００５０】
得られたレシーバ・インピーダンス・スペクトルに基づいて，ピーク周波数（peak frequency）およびバレー（谷）周波数（valley frequency）を特定することができる。この実施形態では，これは，補聴器メーカーによって提供される製品範囲内の上記レシーバの範囲および対応する音響システムの知識（すなわち，補聴器タイプが従来のＢＴＥタイプであるか，またはレシーバ出力と音出力開口との間の音響導管がより短いＲＩＴＥ／ＩＴＥ／ＣＩＣタイプのものであるか）に基づいて，測定のための周波数範囲を選択することによって行われる。
【００５１】
発明者は，測定されるレシーバ・インピーダンス・スペクトルはほとんどの場合ピーク周波数およびバレー周波数を示し，上記ピークが上記バレーよりも低い周波数に位置し，かつ上記ピークがレシーバおよびそれに続く音響システムからなる系（システム）の並列共振（parallel resonance）を反映し，他方バレーは上記系（システム）の直列共振（a series resonance）を反映することを見出した。
【００５２】
上記ピークおよびバレーの検出は，当業者に自明のすべての様々な方法を用いて実行することができる。この実施態様では，サンプル窓（sample windows）が用いられ，これによって，サンプル窓のサイズによって規定される数の後続サンプルがすべて測定されて，より低い値を有すると判定される前には周波数値はピークとして解釈されない。上記サンプル窓のサイズＷは以下の数式にしたがって決定することができる。
【００５３】
【数１】
0006499289.tif 000002
【００５４】
ここでＤは測定信号のサンプル長さを表し，Ｆは測定信号の周波数範囲を表し，ＢＷは検出されるピークまたはバレーの予想（期待）周波数帯域幅（the expected frequency bandwidth）を表す。
【００５５】
上記ピーク周波数が見つかった後，上記バレー周波数を同様の方法を用いて見つけることができる。
【００５６】
この発明の一実施態様では，補聴器の音出力の詰まりの検出が，以下のステップに基づいて実行される。
【００５７】
聴覚ケア専門家およびユーザが，主要にはユーザの聴覚欠損，ユーザの外耳道のサイズおよびユーザの概略的な好みに基づいて，補聴器レシーバの特定タイプを選択する。
【００５８】
上記聴覚ケア専門家は，補聴器のレシーバのタイプに関し，かつ補聴器のレシーバのタイプを特定する情報が上記補聴器システムに格納されていることを保証する。これは，補聴器ケア専門家が，補聴器システムをユーザに手渡すよりも前に，最終的な補聴器システム・フィッティングの一部としてマニュアルで行うことができる。しかしながら，他の実施態様において，上記補聴器レシーバ・タイプの特定（識別）をたとえば欧州特許第２１７７０５２に開示されている方法および装置を用いて自動的に実行することができ，この識別に基づいて，関連する情報が検索されかつ補聴器システムに記憶される。
【００５９】
本願の開示において，音出力および音出力開口は区別なく使用することができる。これは，詰まりが様々な影響の結果として生じうるからである。典型的には耳垢が音出力開口を詰まらせ，特に補聴器が備える場合には耳垢ガード（これは典型的には音出力開口内に位置決めされる）を詰まらせる。高湿度状況においては，水が上記補聴器レシーバと上記音出力開口の間の音導管内に凝縮することもある。
【００６０】
しかしながら，この実施態様による測定原理は詰まりが形成されている音出力路内の場所とは無関係であり，かつ詰まり材料（congestion material）の種類とも無関係である。
【００６１】
発明者は，インピーダンス・スペクトルの特性が様々な補聴器レシーバ・タイプで大きく異なることがあることを発見し，その結果として，必須でないものの，補聴器レシーバ・タイプを特定して，補聴器の音出力開口が詰まっていると考えることができるときを決定するための適切な閾値を設定すること，レシーバのインピーダンス・スペクトルにおけるピークまたはバレーの検出を音出力開口の詰まりの可能性を判断するために用いるべきかどうかを決定すること，および上記特定されたレシーバ・タイプのレシーバ・インピーダンス・スペクトルを決定するのに最も適する測定抵抗を選択することが有利であることを発見した。
【００６２】
以下，より包括的な用語「レシーバ・タイプ」を，用語「レシーバ・タイプおよび付随する音響システム」および「レシーバ・タイプおよび補聴器タイプ」と同じ意味で用いることがあり，これは，測定されるレシーバ・インピーダンス・スペクトルが対応する音響システムにも依存し，かつ上記音響システムが補聴器タイプによって規定されるからである。
【００６３】
なお，この実施態様では，補聴器ケア専門家によって，上記レシーバ・インピーダンス・スペクトルの基準ピーク周波数が決定されかつ補聴器システムに記憶される後続のステップが提供される。
【００６４】
決定されたレシーバ・タイプおよび決定された基準ピーク周波数に基づいてピーク周波数閾値が設定され，測定されたピーク周波数がこのピーク周波数閾値を超えるたびに補聴器がひどく詰まっているとみなされる。このシンプルな検出基準は，発明者が，上記詰まりのレベルが所定のレベルを超えたときに上記ピーク周波数（およびバレー周波数）が詰まりとともに上昇する見出したことを理由に利用可能とされるものである。すなわち，中間レベルの詰まりではピーク周波数（およびバレー周波数）は減少することがあるが，最終的にはピークおよびバレー周波数は詰まりとともに上昇する。実際に発明者は，測定されるピークおよびバレー周波数が対応する基準周波数（複数）を超えるときの詰まりのレベルは，詰まっている補聴器から提供される音圧レベル（ＳＰＬ）が急激な低下を開始する詰まりのレベルと同じであることを見出した。
【００６５】
なお，この発明の変形例において，またはこの発明と組み合わせて，上記決定された基準周波数よりも低い閾値周波数を，測定されるピーク周波数（またはバレー周波数）がこの閾値周波数を下回るときに，詰まりが危機的状況に近づいていることを示すために用いてもよい。
【００６６】
この発明の変形例では，上記決定された基準ピークまたはバレー周波数が補聴器システムに記憶される前に，自動確認ステップ（automatic verification step）が実行される。その後，測定された基準共振周波数は，それが補聴器メーカーによって提供される上記自動確認に基づく予想範囲内（within an expected range）にある場合にだけ，記憶が許可される。これは，補聴器メーカーは付随する音響システムからの共振周波数のポジション上の影響に関する情報を提供することができるからである。測定される基準周波数が上記予想範囲内にない場合には警告を提供してもよい。
【００６７】
他の実施態様では，複数のレシーバ・タイプおよびそれらに付随する音響システムについての上記予想範囲を，たとえば補聴器用の適切なフィッティング・ソフトウエアを用いて補聴器ケア専門家がアクセス可能な外部サーバ上に記憶させることができる。
【００６８】
ここで図３を参照して，図３は，所定の補聴器およびレシーバ・タイプについての詰まりレベルの関数としての測定ピーク周波数302および測定バレー周波数304の一例を示している。詰まりのない（参考）状況におけるピーク周波数301およびバレー周波数303も示されている。図３は，詰まりが増加すると，測定されるピークおよびバレー周波数が上記基準周波数に対して初期的にどのように減少し，他方，危機的な詰まりレベルを超えると，上記ピークおよびバレー周波数が比較的急速に基準周波数よりもかなり大きな周波数に増加するかを明確に示している。すなわち，所与の補聴器およびレシーバ・タイプについて，上記ピーク周波数閾値を2750から3000Ｈｚの範囲の値に設定することができ，上記バレー周波数閾値を3500から3750Ｈｚの範囲の値に設定することができる。
【００６９】
上記方法は，テスト信号の振幅および公差と，測定抵抗に生じうるドリフトとの両方に無関係であり，これらのパラメータが測定されるピークおよびバレー周波数に影響を与えないので，実装が簡単でかつ改善された測定ロバスト性を有する詰まり検出方法を提供するものである。
【００７０】
さらに発明者は，驚くべきことに，補聴器レシーバの中には，上記レシーバ・インピーダンス・スペクトルのピークを考慮するのではなく，バレーを考慮することによって詰まりの検出を大幅に改善することができるものがあることを見出した。事実発明者は，レシーバ・タイプの中には，詰まりを検出するためにピーク周波数を簡単には使用することができないものがあることを見出した。
【００７１】
おそらくさらに驚くべきことに，発明者は，補聴器レシーバ・タイプの中には，特定のレシーバ・タイプのサンプルについて基準バレー周波数のばらつきが非常に小さく，個々のレシーバごとに基準周波数を測定する必要がなく，これに代えて所与の補聴器レシーバ・タイプの特定の後，対応する閾値バレー周波数を上記補聴器システムに直接に格納することができるものもあることも見出した。
【００７２】
さらに発明者は，さらに他の補聴器レシーバ・タイプの中には，特定のレシーバ・タイプのサンプルについて，上記基準ピーク周波数のばらつきが非常に小さく，個々のレシーバごとに基準周波数を測定する必要がないものがあることを見出した。
【００７３】
この実施態様の変形例では，補聴器詰まりの検出に応答して様々なアクション（動作）をトリガすることができる。このアクションは，音響警告を発する（出力する）こと，閾値超過に関連するデータを補聴器システムにログすること，および閾値超過に関連するデータを外部サーバに提供することを含むグループから選択することができる。
【００７４】
さらなる変形例では，補聴器システムの会話検出器が音響環境に会話がない（no speach）ことを決定したときにだけ，音響警告が出力される（issued）。
【００７５】
図１を再び参照して測定点104における電圧Ｖauxは以下のように直接に導かれる。
【００７６】
【数２】
0006499289.tif 000003
【００７７】
ここでＶsignalは上記信号発生器101から与えられるＡＣ電圧であり，Ｚreceiverは決定されるレシーバ・インピーダンスであり，Ｒmeasは上記測定抵抗102の抵抗値である。
【００７８】
上記レシーバ・インピーダンスの変化に対する測定電圧の感度を最適にするために，上記電圧Ｖauxが上記レシーバ・インピーダンスＺreceiverに対して微分され，これによって感度の尺度（a measure of the sensitivity）が得られ，かつ上記測定抵抗102の抵抗値に対して微分して微分感度の式をゼロに設定して最適値を求めることで，感度を最適化することができる。
【００７９】
【数３】
0006499289.tif 000004
【００８０】
これによると，好ましくは上記測定抵抗102の抵抗値として上記レシーバ・インピーダンスの基準抵抗値に類似するものが選択され，これによって上記レシーバ・インピーダンスにおける変化に対する測定電圧の感度が最適化される。
【００８１】
発明者は，補聴器システムにおける使用に適するほとんどのレシーバのインピーダンスは，10から1500オームの範囲にあることを見出した。したがってこの実施態様の変形例では，上記基本回路100が，上記測定抵抗102の値を変化させることができるスイッチング回路を含むように構成される。さらなる変形例では，Ｖauxの測定値が上記測定抵抗102の抵抗値が上記レシーバ・インピーダンスの大きさから大きくかけ離れている（too far）ことを示す場合に，上記測定抵抗102の値が変更される。上記レシーバ・インピーダンスＺreceiverの大きさが上記測定抵抗Ｒmeasの抵抗値に等しいときＶauxの大きさはＶsignalの大きさの半分になるので，これを決定することができる。一例では，当初は1000オームの抵抗値を持つ第１の測定抵抗102が用いられ，Ｖauxの大きさがＶsignalの大きさの30パーセントに降下した場合に上記第１の測定抵抗102がスイッチアウトされ，約200オームの抵抗値を有する第２の測定抵抗がスイッチインされ，上記基準抵抗についてこの特定の抵抗値の組み合わせを有することによって，約100〜1500オームの範囲のレシーバ・インピーダンス値について，Ｖauxの大きさがＶsignalの大きさの30〜70％の範囲にとどまることになる。
【００８２】
さらなる変形例では，２つの測定抵抗の抵抗値がそれぞれ500〜1500および50〜500オームの範囲である。
【００８３】
さらに発明者は，上記レシーバ・インピーダンスの周波数依存変動（frequency dependent variation）が，このような大きさを持ち，測定される周波数スペクトルの様々な部分について様々な測定抵抗を用いることによって，非常に改善された測定品質を得ることができることを見出した。
【００８４】
ここで図４ａ〜４ｄを参照して，これらはこの発明の一実施態様による補聴器のＨブリッジ出力段400をかなり模式的に示している。
【００８５】
上記出力段400は，第１のＤＣ電圧源409，第２の電圧源410，出力トランスデューサ105，接地ノード411，第１の測定抵抗412，第２の測定抵抗413，第１の電圧測定点104ａ，第２の電圧測定点104ｂ，８つのスイッチ401，402，403，404，405，406，407および408を備えている。
【００８６】
上記出力段は通常モードと測定モードとで動作させることができる。通常モードにおいて上記レシーバ105への電流は上記第１のＤＣ電圧源409から与えられる。測定モードにおいて上記レシーバへの電流は第２のＤＣ電圧源410から与えられ，第２のＤＣ電圧源410は，上記第１のＤＣ電圧源からの第１のＤＣ電圧よりもかなり低い第２のＤＣ電圧を提供する。この実施態様では，上記第１のＤＣ電圧は補聴器電池電圧に等しく，上記第２のＤＣ電圧は上記電池電圧よりも３０ｄＢ低い。簡単な電圧分割回路によって上記低いＤＣ電圧を提供することができる。
【００８７】
この実施態様の変形例では，上記第２のＤＣ電圧が上記電池電圧よりも２０から５０ｄＢ低い。
【００８８】
上記ＤＣ電圧は従来の補聴器電池によって提供してもよく，または燃料電池（fuel cell）のような何らかの充電可能な電源によって提供することもできる。
【００８９】
通常モードにおいて，スイッチ405〜408は，図４ａおよび図４ｂに示すように開位置に維持され，これによって上記測定抵抗412および413に電流は流れない。図４ａに示すケースでは，電流（Ｉ１として表される）は短絡したスイッチ401および404を通じて左から右への第１の方向で上記出力トランスデューサ105を通り，他方スイッチ402および403は開放されており，図４ｂに示すケースでは，スイッチ402および403が短絡され，他方スイッチ401および404が開放され，電流（Ｉ２として表される）は右から左への第２の方向で上記出力トランスデューサ105を通るように，スイッチ401〜404は動作する。
【００９０】
電流の方向に依存して，上記出力トランスデューサの膜またはダイヤフラムが内方または外方のいずれかに移動する。これによって上記レシーバ105を一方向のみからの電流パルスによって駆動させる場合に比べて，上記レシーバ105によって提供される音圧レベル（ＳＰＬ）を倍増させることができる。
【００９１】
しかしながら，測定モードでは，一般に出力トランスデューサに直列接続（結合）された測定抵抗を有することが必要である。
【００９２】
ここで図４ｃ〜４ｄを参照して，これらは測定モードにおける出力段400の動作を示している。
【００９３】
第１のケースにおいて，第１のレシーバ・タイプが特定され，これに基づいて第１の測定抵抗412が測定に用いられるべきものとして選択されている。図４ｃに示すケースにおいて，Ｈブリッジの左側でスイッチ401，403および407が開放し，405が短絡し，かつＨブリッジの右側ではスイッチ402，406および408が開放し，404が短絡することで，第１の測定抵抗412が上記出力トランスデューサ105と直列に接続され，これによって電流（Ｉ３として示す）が，短絡したスイッチ405および404を通じて左から右への第１の方向で上記出力トランスデューサ105を通る。このケースにおいて，上記振幅レシーバ・スペクトルは第１の電圧測定点104ａにおいて測定される電圧から導出される。
【００９４】
同様にして，Ｈブリッジの左側でスイッチ401，405および407が開放し，403が短絡し，かつＨブリッジの右側でスイッチ402，404および408が開放し，406が短絡することによって，上記第２の測定抵抗413が上記出力トランスデューサ105と直列に接続され，これによって電流（Ｉ４として示す）は短絡したスイッチ406および403を通じて右から左への第２の方向で上記出力トランスデューサ105を通る。これが図４ｄに示すケースである。このケースにおいて上記振幅レシーバ・スペクトルは第２の電圧測定点104ｂにおいて測定される電圧から導出され，第１または第２の測定抵抗が上記測定に使用されるかどうかに依存しない同様の方法で，上記測定電圧が上記レシーバ・インピーダンスを反映することが担保される。マルチプレクサが，上記第１または第２の電圧測定点からの信号が入力スイッチング回路202およびさらに上記フロントエンド・プロセッサ203に供給されるかを選択する。図２の電圧測定点104を，図４ａ〜ｄの第１または第２の電圧測定点のいずれかに対応させることができる。
【００９５】
上記測定モードは，所与の測定抵抗が選択され，上記レシーバ105を通る電流が一方向だけであるという特徴がある。これは，図４ａ〜４ｂに示すように電流が両方向に流れる通常動作の場合にはない。両方の電流を有する利点は，所与の大きさのＤＣ電圧に対してより大きなレシーバ膜動作およびしたがって音圧レベルを達成できることである。
【００９６】
しかしながら，発明者は，この利点は測定モードでは必要とされないことを見出し，その結果，レシーバ105の周囲において非常に対称的な出力段400が発明され，これは出力ステージ400を実現するときの重要な利点であり，それと同時に２つの異なる測定抵抗を選択するオプションを提供することで，上述したように測定感度を向上させることができる。
【００９７】
測定モードにおける電流パルスは常に同じ方向から来るので，発明者は，第１の測定抵抗がアクティブである場合，スイッチ407が開放されるときにスイッチ405が常に短絡され，この逆も同様であり，同様のことは，上記第２の測定抵抗がアクティブである場合のスイッチ406および408にも当てはまることを見出した。これによって，寄生容量およびレシーバ・インダクタンスが電流パルスの間の期間で放電されることが保証される。
【００９８】
当業者にとって明らかなように，正確な音声出力レベルならびにその他の出力信号の時間および周波数の特性は，たとえばパルス幅変調やパルス密度変調技術を用いて様々なやり方で制御することができる。
【００９９】
測定モードにおいて，上記レシーバ105への電流は上記第２のＤＣ電圧源によって提供され，第２のＤＣ電圧源は通常動作において用いられるＤＣ電圧よりも好ましくは３０ｄＢ低いＤＣ電圧を提供する。固有Ｄ級アンプのノイズは提供されるＤＣ電圧に比例するので，低いＤＣ電圧の使用によってノイズの少ない測定信号が提供される。
【０１００】
本願の開示において低いノイズは特に有利であり，それは，いくつかのケースにおいて音出力レベルを提供するテスト信号の使用を補聴器ユーザに聞こえないものとすることができるからである。さらなる利点は，測定モードでは低いＤＣ電圧のみが利用可能であるので，測定中に偶発的に非常に高い音圧レベルをユーザに提供することができないことである。
【０１０１】
さらにこの発明は，上記測定をほんの１秒の間に実行できるという利点がある。
【０１０２】
開示した実施態様の他の変形例では，上記レシーバ・スペクトルの測定が補聴器の電源オンの一部としてまたはプログラム変更の一部として実行されるだけで上記補聴器がセットアップされ，これらの状況においてユーザが知覚する外乱を最小とすることができる。もっとも，ほとんどのユーザは，小さい音量のために，与えられるテスト信号を聞くことはできないであろう。
【０１０３】
開示する実施態様のさらに他の変形例では，電気インピーダンスを測定するために用いられる測定信号の強度が，少なくとも一の周波数範囲において，上記補聴器システムのユーザの聴覚損失に依存して適合され，上記測定信号を補聴器システムのユーザが聞くことができないものとされる。
【０１０４】
さらに他の変形例では，電気的インピーダンスを測定するために用いられる測定信号の強度が，少なくとも一の周波数範囲において，上記測定信号の出力レベルを補聴器システムのユーザの可聴閾値未満に維持しつつ，信号対雑音比が改善されるように，上記補聴器システムのユーザの聴覚損失に依存して適合される。
【０１０５】
当業者には明らかなように，たとえばパルス幅変調またはパルス密度変調技術を用いることによって，正確な音声出力レベル，ならびに他の出力信号の時間および周波数の特性を，様々なやり方で制御することができる。
【０１０６】
次に図５を参照して，図５はこの発明の一実施態様による補聴器のＨブリッジ出力段500をかなり模式的に示している。
【０１０７】
上記出力段500は，第１の追加分岐がスイッチ414および416を含み，第２の追加分岐がスイッチ415および417を含み，上記第１および第２の追加分岐の両方が上記第２のＤＣ電圧源410に接続されている点を除いて，図４ａ〜ｄの出力段400に類似しており，これによって測定抵抗を含ませることなく，上記第２のＤＣ電圧源からの低減されたＤＣ電圧に起因して，低いノイズ信号を提供することができる。電流はＩ５として示されている。
【０１０８】
開示する実施態様の変形例では，出力段400，500，ならびに第１および第２のＤＣ電圧源の使用を，レシーバ・インピーダンス測定を含む任意の方法と基本的には組み合わせて用いることができる。すなわち，この方法は音出力の詰まりを検出することに向けられる必要は必ずしもなく，かつこの方法はピークまたはバレー周波数のシフトの監視に基づく必要は必ずしもない。
【０１０９】
さらに他の変形例では，上記補聴器の動作モードを，外部装置，たとえばリモート・コントロールまたはスマートフォンのインターフェースを用いて，または補聴器に収容されるセレクタを用いて直接に選択することができる。ユーザが測定モードを直接に選択することができるオプションは，上記ユーザが，補聴器が詰まっているかどうかをすぐに調査することができるという利点がある。
【０１１０】
しかしながら，定期的または不定期のなんらかの間隔で上記レシーバ測定モードが自動的に入るオプションは，詰まりをそれがひどくなる前に検知することができるので，ユーザが，能力が落ちた補聴器を知覚することを避けることができるという利点がある。この発明のこの観点は，発明者が，上記決定された基準周波数よりも低い閾値周波数を，測定されるピーク周波数（またはバレー周波数）がこの閾値未満に低下しているときに詰まりが危機的状況に近づいていることを示すために用いることができることを見出したことが特に利点である。
【図１】
0006499289.tif 000005
【図２】
0006499289.tif 000006
【図３】
0006499289.tif 000007
【図４ａ】
0006499289.tif 000008
【図４ｂ】
0006499289.tif 000009
【図４ｃ】
0006499289.tif 000010
【図４ｄ】
0006499289.tif 000011
【図５】
0006499289.tif 000012